(57)【特許請求の範囲】
【請求項１】
サービス提供者側サーバがネットワークを介してコンシューマに提供したサービスに対する課金業務および決済業務を課金代行業者側サーバおよび決済代行業者側サーバがそれぞれ代行する際における前記課金業務および決済業務の処理手数料である課金決済手数料を算出する課金決済手数料算出方法であって、
前記サービス提供者側サーバが、当該サービス提供者側サーバにより前記コンシューマに提供されたサービスに対する課金決済業務の依頼および当該課金決済業務に必要な情報を前記課金代行業者側サーバに送信する段階と、
前記課金代行業者側サーバが、送信された前記課金決済業務の依頼および当該課金決済業務に必要な情報をそれぞれ受信し、受信した課金業務の依頼に応じて、当該課金業務に必要な情報に基づいて前記コンシューマに対する課金処理を実行する段階と、
前記課金代行業者側サーバが、前記決済代行業者側サーバに対し、前記決済業務の依頼および前記決済業務に必要な情報を送信する段階と、
前記決済代行業者側サーバが、前記決済業務の依頼に応じて、前記決済業務に必要な情報に基づいて決済処理を実行し、その決済処理の結果を前記課金代行業者側サーバに送信する段階と、
前記決済代行業者側サーバが、自決済代行業者側サーバおよび前記課金代行業者側サーバ間で送受信された決済情報におけるHTMLもしくはXMLのタグ数を測定し、この測定されたタグ数に基づき決済処理手数料を算出し、算出された決済処理手数料を前記課金代行業者側サーバに送信する段階と、
前記課金代行業者側サーバが、前記課金処理結果および前記決済処理結果を、それぞれ前記サービス提供者側サーバに送信する段階と、
前記課金代行業者側サーバが、当該サービス提供者側サーバおよび自課金代行業者側サーバ間で送受信された課金決済情報におけるHTMLもしくはXMLのタグ数を測定し、この測定されたタグ数および前記決済代行業者側サーバから受け取った決済処理手数料に基づいて課金決済処理手数料を算出し、算出された課金決済処理手数料を前記サービス提供者側サーバに送信する段階とを備えたことを特徴とする課金決済手数料算出方法。
【請求項２】
サービス提供者側サーバがネットワークを介してコンシューマに提供したサービスに対する課金業務および決済業務を課金代行業者側サーバおよび決済代行業者側サーバがそれぞれ代行する際における前記課金業務および決済業務の処理手数料である課金決済手数料を算出する課金決済手数料算出方法であって、
前記サービス提供者側サーバが、当該サービス提供者側サーバにより前記コンシューマに提供されたサービスに対する課金業務の依頼および当該課金業務に必要な情報を前記課金代行業者側サーバに送信する段階と、
前記課金代行業者側サーバが、送信された前記課金業務の依頼および当該課金業務に必要な情報をそれぞれ受信し、受信した課金業務の依頼に応じて、前記課金業務に必要な情報に基づいて前記コンシューマに対する課金処理を実行する段階と、
前記課金代行業者側サーバが、前記課金処理結果を前記サービス提供者側サーバに送信する段階と、
前記課金代行業者側サーバが、前記サービス提供者側サーバおよび自課金代行業者側サーバ間で送受信された課金情報におけるHTMLもしくはXMLのタグ数を測定し、この測定されたタグ数に基づいて課金処理手数料を算出し、算出された課金処理手数料を前記サービス提供者側サーバに送信する段階と、
前記サービス提供者側サーバが、当該サービス提供者側サーバにより前記コンシューマに提供されたサービスに対する前記課金処理結果に基づく決済業務の依頼および当該決済業務に必要な情報を前記決済代行業者側サーバに送信する段階と、
前記決済代行業者側サーバが、前記決済業務の依頼に応じて、前記決済業務に必要な情報に基づいて決済処理を実行し、その決済処理の結果を前記サービス提供者側サーバに送信する段階と、
前記決済代行業者側サーバが、前記サービス提供者側サーバおよび自決済代行業者側サーバ間で送受信された決済情報におけるHTMLもしくはXMLのタグ数を測定し、この測定されたタグ数に基づき決済処理手数料を算出し、算出された決済処理手数料を前記サービス提供者側サーバに送信する段階とを備えたことを特徴とする課金決済手数料算出方法。
【請求項３】
サービス提供者側サーバがネットワークを介してコンシューマに提供したサービスに対する決済業務を決済代行業者側サーバが代行する際における前記決済業務の処理手数料である決済手数料を算出する決済手数料算出方法であって、
前記サービス提供者側サーバが、当該サービス提供者側サーバにより前記コンシューマに提供されたサービスに対する課金決済業務に必要な情報に基づいて前記コンシューマに対する課金処理を実行する段階と、
前記サービス提供者側サーバが、前記決済代行業者側サーバに対し、前記決済業務の依頼および前記決済業務に必要な情報を送信する段階と、
前記決済代行業者側サーバが、前記決済業務の依頼に応じて、前記決済業務に必要な情報に基づいて決済処理を実行し、その決済処理の結果を前記サービス提供者側サーバに送信する段階と、
前記決済代行業者側サーバが、自決済代行業者側サーバおよび前記決済代行業者側サーバ間で送受信された決済情報におけるHTMLもしくはXMLのタグ数を測定し、この測定されたタグ数に基づき決済処理手数料を算出し、算出された決済処理手数料を前記サービス提供者側サーバに送信する段階とを備えたことを特徴とする決済手数料算出方法。
【請求項４】
サービス提供者側サーバがネットワークを介してコンシューマに提供したサービスに対する課金業務および決済業務を課金・決済代行業者側サーバが代行する際における前記課金業務および決済業務の処理手数料である課金決済手数料を算出する課金決済手数料算出方法であって、
前記サービス提供者側サーバが、当該サービス提供者側サーバにより前記コンシューマに提供されたサービスに対する課金および決済業務の依頼ならびに当該課金および決済業務に必要な情報を前記課金・決済代行業者側サーバに送信する段階と、
前記課金・決済代行業者側サーバが、送信された課金および決済業務の依頼ならびに当該課金および決済業務に必要な情報をそれぞれ受信し、受信した課金業務の依頼に応じて、前記課金業務に必要な情報に基づいて前記コンシューマに対する課金処理を実行する段階と、
前記課金・決済代行業者側サーバが、受信した決済業務の依頼に応じて、前記課金処理結果および前記決済業務に必要な情報に基づいて決済処理を実行する段階と、
前記課金・決済代行業者側サーバが、前記課金処理結果および決済処理結果を前記サービス提供者側サーバに送信する段階と、
前記課金・決済代行業者側サーバが、前記サービス提供者側サーバおよび自課金・決済代行業者側サーバ間で送受信された課金情報および決済情報におけるHTMLもしくはXMLのタグ数を測定し、この測定されたタグ数に基づき課金・決済処理手数料を算出し、算出された課金・決済処理手数料を前記サービス提供者側サーバに送信する段階とを備えたことを特徴とする課金決済手数料算出方法。
【請求項５】
サービス提供者側サーバがネットワークを介してコンシューマに提供したサービスに対する課金業務および決済業務をそれぞれ代行する課金代行業者側サーバおよび決済代行業者側サーバを備え、前記課金業務および決済業務の処理手数料である課金決済手数料を算出するシステムであって、
前記課金代行業者側サーバは、
前記サービス提供者側サーバにより前記コンシューマに提供されたサービスに対する課金決済業務の依頼および当該課金決済業務に必要な情報が当該サービス提供者側サーバから前記課金代行業者側サーバに送信された際に、送信された前記課金決済業務の依頼および当該課金決済業務に必要な情報をそれぞれ受信し、受信した課金業務の依頼に応じて、当該課金業務に必要な情報に基づいて前記コンシューマに対する課金処理を実行する手段と、
前記決済代行業者側サーバに対し、前記決済業務の依頼および前記決済業務に必要な情報を送信する手段とを備え、
前記決済代行業者側サーバは、
前記決済業務の依頼に応じて、前記決済業務に必要な情報に基づいて決済処理を実行し、その決済処理の結果を前記課金代行業者側サーバに送信する手段と、
自決済代行業者側サーバおよび前記課金代行業者側サーバ間で送受信された決済情報におけるHTMLもしくはXMLのタグ数を測定し、この測定されたタグ数に基づき決済処理手数料を算出し、算出された決済処理手数料を前記課金代行業者側サーバに送信する手段とを備え、
前記課金代行業者側サーバは、さらに、
前記課金処理結果および前記決済処理結果を、それぞれ前記サービス提供者側サーバに送信する手段と、
当該サービス提供者側サーバおよび自課金代行業者側サーバ間で送受信された課金決済情報におけるHTMLもしくはXMLのタグ数を測定し、この測定されたタグ数および前記決済代行業者側サーバから受け取った決済処理手数料に基づいて課金決済処理手数料を算出し、算出された課金決済処理手数料を前記サービス提供者側サーバに送信する手段とを備えたことを特徴とする課金決済手数料算出システム。
【請求項６】
サービス提供者側サーバがネットワークを介してコンシューマに提供したサービスに対する課金業務および決済業務をそれぞれ代行する課金代行業者側サーバおよび決済代行業者側サーバを備え、前記課金業務および決済業務の処理手数料である課金決済手数料を算出するシステムであって、
前記課金代行業者側サーバは、
前記サービス提供者側サーバにより前記コンシューマに提供されたサービスに対する課金業務の依頼および当該課金業務に必要な情報が当該サービス提供者側サーバから前記課金代行業者側サーバに送信された際に、送信された前記課金業務の依頼および当該課金業務に必要な情報をそれぞれ受信し、受信した課金業務の依頼に応じて、前記課金業務に必要な情報に基づいて前記コンシューマに対する課金処理を実行する手段と、
前記課金処理結果を前記サービス提供者側サーバに送信する手段と、
前記サービス提供者側サーバおよび自課金代行業者側サーバ間で送受信された課金情報におけるHTMLもしくはXMLのタグ数を測定し、この測定されたタグ数に基づいて課金処理手数料を算出し、算出された課金処理手数料を前記サービス提供者側サーバに送信する手段とを備え、
前記決済代行業者側サーバは、
前記サービス提供者側サーバにより前記コンシューマに提供されたサービスに対する前記課金処理結果に基づく決済業務の依頼および当該決済業務に必要な情報が当該サービス提供者側サーバから前記決済代行業者側サーバに送信された際に、前記決済業務の依頼に応じて、前記決済業務に必要な情報に基づいて決済処理を実行し、その決済処理の結果を前記サービス提供者側サーバに送信する手段と、
前記サービス提供者側サーバおよび自決済代行業者側サーバ間で送受信された決済情報におけるHTMLもしくはXMLのタグ数を測定し、この測定されたタグ数に基づき決済処理手数料を算出し、算出された決済処理手数料を前記サービス提供者側サーバに送信する手段とを備えたことを特徴とする課金決済手数料算出システム。
【請求項７】
サービス提供者側サーバがネットワークを介してコンシューマに提供したサービスに対する決済業務を代行する決済代行業者側サーバを備え、前記決済業務の処理手数料である決済手数料を算出する決済手数料算出システムであって、
前記サービス提供者側サーバは、
当該サービス提供者側サーバにより前記コンシューマに提供されたサービスに対する課金決済業務に必要な情報に基づいて前記コンシューマに対する課金処理を実行する手段と、
前記決済代行業者側サーバに対し、前記決済業務の依頼および前記決済業務に必要な情報を送信する手段とを備え、
前記決済代行業者側サーバは、
前記決済業務の依頼に応じて、前記決済業務に必要な情報に基づいて決済処理を実行し、その決済処理の結果を前記サービス提供者側サーバに送信する手段と、
自決済代行業者側サーバおよび前記決済代行業者側サーバ間で送受信された決済情報におけるHTMLもしくはXMLのタグ数を測定し、この測定されたタグ数に基づき決済処理手数料を算出し、算出された決済処理手数料を前記サービス提供者側サーバに送信する手段とを備えたことを特徴とする決済手数料算出システム。
【請求項８】
サービス提供者側サーバがネットワークを介してコンシューマに提供したサービスに対する課金業務および決済業務を代行する課金・決済代行業者側サーバを備え、前記課金業務および決済業務の処理手数料である課金決済手数料を算出するシステムであって、
前記課金・決済代行業者側サーバは、
前記サービス提供者側サーバにより前記コンシューマに提供されたサービスに対する課金および決済業務の依頼ならびに当該課金および決済業務に必要な情報が当該サービス提供者側サーバから前記課金・決済代行業者側サーバに送信された際に、送信された課金および決済業務の依頼ならびに当該課金および決済業務に必要な情報をそれぞれ受信し、受信した課金業務の依頼に応じて、前記課金業務に必要な情報に基づいて前記コンシューマに対する課金処理を実行する手段と、
受信した決済業務の依頼に応じて、前記課金処理結果および前記決済業務に必要な情報に基づいて決済処理を実行する手段と、
前記課金処理結果および決済処理結果を前記サービス提供者側サーバに送信する手段と、
前記サービス提供者側サーバおよび自課金・決済代行業者側サーバ間で送受信された課金情報および決済情報におけるHTMLもしくはXMLのタグ数を測定し、この測定されたタグ数に基づき課金・決済処理手数料を算出し、算出された課金・決済処理手数料を前記サービス提供者側サーバに送信する手段とを備えたことを特徴とする課金決済手数料算出システム。
【発明の詳細な説明】
【０００１】
本発明は、サービス提供者がコンシューマに提供したサービスに対する課金業務および決済業務を代行業者が代行する際の課金決済業務代行料金算出方法および課金決済業務代行料金算出システムに関する。
【０００２】
【従来の技術】
課金決済代行業務とは、サービス提供者がコンシューマに提供したサービスに対する課金および決済業務を代行業者がサービス提供者の代わりに行って、コンシューマからサービス利用料を回収するとともに、この課金および決済業務の代行に対する手数料をサービス提供者から徴収することであるが、このような従来の課金および決済業務では、サービス提供者が課金業務を行い、決済業務を代行させることしかできなかった。
【０００３】
そして、このような決済の代行手数料は、１回の代行業務に対して一律の料金であったり、決済金額に対してある一定の割合であるというように固定的に決められていた。
【０００４】
【発明が解決しようとする課題】
従来、サービス提供者がコンシューマに提供したサービスに対する課金および決済業務では、サービス提供者が課金業務を行い、決済業務を代行させることしかできないため、サービス提供者の処理が増大してしまうという問題があった。
【０００５】
また、上述したように、従来、決済代行手数料は固定的に決められていて、代行業務に要した負荷、労力、システムリソースなどを正確に反映したものでないという問題があった。
【０００６】
本発明は、上記に鑑みてなされたもので、その目的とするところは、サービス提供者がコンシューマに提供したサービスに対する課金・決済業務を代行業者に代行させてサービス提供者の負荷を軽減するとともに、代行業務の負荷に応じた手数料を徴収し得るようにした課金決済業務代行算出方法および課金決済業務代行算出システムを提供することにある。
【０００７】
上記目的を達成するため、請求項１記載の本発明は、サービス提供者側サーバがネットワークを介してコンシューマに提供したサービスに対する課金業務および決済業務を課金代行業者側サーバおよび決済代行業者側サーバがそれぞれ代行する際における前記課金業務および決済業務の処理手数料である課金決済手数料を算出する課金決済手数料算出方法であって、前記サービス提供者側サーバにより前記コンシューマに提供されたサービスに対する課金決済業務の依頼および当該課金決済業務に必要な情報が当該サービス提供者側サーバから前記課金代行業者側サーバに送信された際に、前記課金代行業者側サーバは、送信された前記課金決済業務の依頼および当該課金決済業務に必要な情報をそれぞれ受信し、受信した課金業務の依頼に応じて、当該課金業務に必要な情報に基づいて前記コンシューマに対する課金処理を実行する段階と、前記決済代行業者側サーバに対し、前記決済業務の依頼および前記決済業務に必要な情報を送信する段階とを備え、前記決済代行業者側サーバは、前記決済業務の依頼に応じて決済処理を実行し、その決済処理の結果を前記課金代行業者側サーバに送信する段階と、自決済代行業者側サーバおよび前記課金代行業者側サーバ間で送受信された決済処理に関する情報量を測定し、この測定された情報量に基づき決済処理手数料を算出し、算出された決済処理手数料を前記課金代行業者側サーバに送信する段階とを備え、前記課金代行業者側サーバは、前記課金処理結果および前記決済処理結果を、それぞれ前記サービス提供者側サーバに送信する段階と、当該サービス提供者側および自課金代行業者側サーバ間で送受信された課金決済処理に関する情報量を測定し、この測定された情報量および前記決済代行業者側サーバから受け取った決済処理手数料に基づいて課金決済処理手数料を算出し、算出された課金決済処理手数料を前記サービス提供者側サーバに送信する段階とをさらに備えたことを要旨とする。請求項２記載の本発明は、サービス提供者側サーバがネットワークを介してコンシューマに提供したサービスに対する課金業務および決済業務を課金代行業者側サーバおよび決済代行業者側サーバがそれぞれ代行する際における前記課金業務および決済業務の処理手数料である課金決済手数料を算出する課金決済手数料算出方法であって、前記サービス提供者側サーバにより前記コンシューマに提供されたサービスに対する課金業務の依頼および当該課金業務に必要な情報が当該サービス提供者側サーバから前記課金代行業者側サーバに送信された際に、前記課金代行業者側サーバは、送信された前記課金業務の依頼内容および当該課金業務に必要な情報をそれぞれ受信し、受信した課金業務の依頼に応じて、前記課金業務に必要な情報に基づいて前記コンシューマに対する課金処理を実行する段階と、前記課金処理結果を前記サービス提供者側サーバに送信する段階と、前記サービス提供者側および自課金代行業者側サーバ間で送受信された課金処理に関する情報量を測定し、この測定された情報量に基づいて課金処理手数料を算出し、算出された課金処理手数料を前記サービス提供者側サーバに送信する段階とを備え、前記サービス提供者側サーバにより前記コンシューマに提供されたサービスに対する前記課金処理結果に基づく決済業務の依頼および当該決済業務に必要な情報が当該サービス提供者側サーバから前記決済代行業者側サーバに送信された際に、前記決済代行業者側サーバは、前記決済業務の依頼に応じて、前記決済業務に必要な情報に基づいて決済処理を実行し、その決済処理の結果を前記サービス提供者側サーバに送信する段階と、前記サービス提供者側サーバおよび自決済代行業者側サーバ間で送受信された決済処理に関する情報量を測定し、この測定された情報量に基づき決済処理手数料を算出し、算出された決済処理手数料を前記サービス提供者側サーバに送信する段階とを備えている。
【０００８】
請求項３記載の本発明は、サービス提供者側サーバがネットワークを介してコンシューマに提供したサービスに対する決済業務を決済代行業者側サーバが代行する際における前記決済業務の処理手数料である決済手数料を算出する決済手数料算出方法であって、前記サービス提供者側サーバは、当該サービス提供者側サーバにより前記コンシューマに提供されたサービスに対する課金決済業務に必要な情報に基づいて前記コンシューマに対する課金処理を実行する段階と、前記決済代行業者側サーバに対し、前記決済業務の依頼および前記決済業務に必要な情報を送信する段階とを備え、前記決済代行業者側サーバは、前記決済業務の依頼に応じて決済処理を実行し、その決済処理の結果を前記サービス提供者側サーバに送信する段階と、自決済代行業者側サーバおよび前記決済代行業者側サーバ間で送受信された決済処理に関する情報量を測定し、この測定された情報量に基づき決済処理手数料を算出し、算出された決済処理手数料を前記サービス提供者側サーバに送信する段階とを備えている。請求項４記載の本発明は、サービス提供者側サーバがネットワークを介してコンシューマに提供したサービスに対する課金業務および決済業務を課金・決済代行業者側サーバが代行する際における前記課金業務および決済業務の処理手数料である課金決済手数料を算出する課金決済手数料算出方法であって、前記サービス提供者側サーバにより前記コンシューマに提供されたサービスに対する課金および決済業務の依頼ならびに当該課金および決済業務に必要な情報が当該サービス提供者側サーバから前記課金・決済代行業者側サーバに送信された際に、前記課金・決済代行業者側サーバは、送信された課金および決済業務の依頼ならびに当該課金および決済業務に必要な情報をそれぞれ受信し、受信した課金業務の依頼に応じて、前記課金業務に必要な情報に基づいて前記コンシューマに対する課金処理を実行する段階と、受信した決済業務の依頼に応じて、前記課金処理結果および前記決済業務に必要な情報に基づいて決済処理を実行する段階と、前記課金処理結果および決済処理結果を前記サービス提供者側サーバに送信する段階と、前記サービス提供者側サーバおよび自課金・決済代行業者側サーバ間で送受信された課金処理および決済処理に関する情報量を測定し、この測定された情報量に基づき課金・決済処理手数料を算出し、算出された課金・決済処理手数料を前記サービス提供者側サーバに送信する段階とを備えている。
【０００９】
請求項５記載の本発明は、サービス提供者側サーバがネットワークを介してコンシューマに提供したサービスに対する課金業務および決済業務を課金代行業者側サーバおよび決済代行業者側サーバがそれぞれ代行する際における前記課金業務および決済業務の処理手数料である課金決済手数料を算出するシステムであって、前記サービス提供者側サーバにより前記コンシューマに提供されたサービスに対する課金決済業務の依頼および当該課金決済業務に必要な情報が当該サービス提供者側サーバから前記課金代行業者側サーバに送信された際に、前記課金代行業者側サーバは、送信された前記課金決済業務の依頼および当該課金決済業務に必要な情報をそれぞれ受信し、受信した課金業務の依頼に応じて、当該課金業務に必要な情報に基づいて前記コンシューマに対する課金処理を実行する手段と、前記決済代行業者側サーバに対し、前記決済業務の依頼および前記決済業務に必要な情報を送信する手段とを備え、前記決済代行業者側サーバは、前記決済業務の依頼に応じて決済処理を実行し、その決済処理の結果を前記課金代行業者側サーバに送信する手段と、自決済代行業者側サーバおよび前記課金代行業者側サーバ間で送受信された決済処理に関する情報量を測定し、この測定された情報量に基づき決済処理手数料を算出し、算出された決済処理手数料を前記課金代行業者側サーバに送信する手段とを備え、前記課金代行業者側サーバは、前記課金処理結果および前記決済処理結果を、それぞれ前記サービス提供者側サーバに送信する手段と、当該サービス提供者側サーバおよび自課金代行業者側サーバ間で送受信された課金決済処理に関する情報量を測定し、この測定された情報量および前記決済代行業者側サーバから受け取った決済処理手数料に基づいて課金決済処理手数料を算出し、算出された課金決済処理手数料を前記サービス提供者側サーバに送信する手段とをさらに備えている。請求項６記載の本発明は、サービス提供者側サーバがネットワークを介してコンシューマに提供したサービスに対する課金業務および決済業務を課金代行業者側サーバおよび決済代行業者側サーバがそれぞれ代行する際における前記課金業務および決済業務の処理手数料である課金決済手数料を算出するシステムであって、前記サービス提供者側サーバにより前記コンシューマに提供されたサービスに対する課金業務の依頼および当該課金業務に必要な情報が当該サービス提供者側サーバから前記課金代行業者側サーバに送信された際に、前記課金代行業者側サーバは、送信された前記課金業務の依頼内容および当該課金業務に必要な情報をそれぞれ受信し、受信した課金業務の依頼に応じて、前記課金業務に必要な情報に基づいて前記コンシューマに対する課金処理を実行する手段と、前記課金処理結果を前記サービス提供者側サーバに送信する手段と、前記サービス提供者側サーバおよび自課金代行業者側サーバ間で送受信された課金処理に関する情報量を測定し、この測定された情報量に基づいて課金処理手数料を算出し、算出された課金処理手数料を前記サービス提供者側サーバに送信する手段とを備え、前記サービス提供者側サーバにより前記コンシューマに提供されたサービスに対する前記課金処理結果に基づく決済業務の依頼および当該決済業務に必要な情報が当該サービス提供者側サーバから前記決済代行業者側サーバに送信された際に、前記決済代行業者側サーバは、前記決済業務の依頼に応じて、前記決済業務に必要な情報に基づいて決済処理を実行し、その決済処理の結果を前記サービス提供者側サーバに送信する手段と、前記サービス提供者側サーバおよび自決済代行業者側サーバ間で送受信された決済処理に関する情報量を測定し、この測定された情報量に基づき決済処理手数料を算出し、算出された決済処理手数料を前記サービス提供者側サーバに送信する手段とを備えている。
【００１０】
請求項７記載の本発明は、サービス提供者側サーバがネットワークを介してコンシューマに提供したサービスに対する決済業務を決済代行業者側サーバが代行する際における前記決済業務の処理手数料である決済手数料を算出する決済手数料算出システムであって、前記サービス提供者側サーバは、当該サービス提供者側サーバにより前記コンシューマに提供されたサービスに対する課金決済業務に必要な情報に基づいて前記コンシューマに対する課金処理を実行する手段と、前記決済代行業者側サーバに対し、前記決済業務の依頼および前記決済業務に必要な情報を送信する手段とを備え、前記決済代行業者側サーバは、前記決済業務の依頼に応じて決済処理を実行し、その決済処理の結果を前記サービス提供者側サーバに送信する手段と、自決済代行業者側サーバおよび前記決済代行業者側サーバ間で送受信された決済処理に関する情報量を測定し、この測定された情報量に基づき決済処理手数料を算出し、算出された決済処理手数料を前記サービス提供者側サーバに送信する手段とを備えている。請求項８記載の本発明は、サービス提供者側サーバがネットワークを介してコンシューマに提供したサービスに対する課金業務および決済業務を課金・決済代行業者側サーバが代行する際における前記課金業務および決済業務の処理手数料である課金決済手数料を算出するシステムであって、前記サービス提供者側サーバにより前記コンシューマに提供されたサービスに対する課金および決済業務の依頼ならびに当該課金および決済業務に必要な情報が当該サービス提供者側サーバから前記課金・決済代行業者側サーバに送信された際に、前記課金・決済代行業者側サーバは、送信された課金および決済業務の依頼ならびに当該課金および決済業務に必要な情報をそれぞれ受信し、受信した課金業務の依頼に応じて、前記課金業務に必要な情報に基づいて前記コンシューマに対する課金処理を実行する手段と、受信した決済業務の依頼に応じて、前記課金処理結果および前記決済業務に必要な情報に基づいて決済処理を実行する手段と、前記課金処理結果および決済処理結果を前記サービス提供者側サーバに送信する手段と、前記サービス提供者側サーバおよび自課金・決済代行業者側サーバ間で送受信された課金処理および決済処理に関する情報量を測定し、この測定された情報量に基づき課金・決済処理手数料を算出し、算出された課金・決済処理手数料を前記サービス提供者側サーバに送信する手段とを備えている。
【００１１】
請求項１および５記載の本発明にあっては、課金代行業者側サーバは、サービス提供者側サーバから送信された課金決済業務の依頼および当該課金決済業務に必要な情報をそれぞれ受信し、受信した課金業務の依頼に応じて、当該課金業務に必要な情報に基づいて前記コンシューマに対する課金処理を実行し、決済代行業者側サーバに対し、前記決済業務の依頼および前記決済業務に必要な情報を送信する。決済代行業者側サーバは、前記決済業務の依頼に応じて決済処理を実行し、その決済処理の結果を前記課金代行業者側サーバに送信し、自決済代行業者側サーバおよび前記課金代行業者側サーバ間で送受信された決済処理に関する情報量を測定し、この測定された情報量に基づき決済処理手数料を算出し、算出された決済処理手数料を前記課金代行業者側サーバに送信する。そして、課金代行業者側サーバは、前記課金処理結果および前記決済処理結果を、それぞれ前記サービス提供者側サーバに送信し、当該サービス提供者側および自課金代行業者側サーバ間で送受信された課金決済処理に関する情報量を測定し、この測定された情報量および前記決済代行業者側サーバから受け取った決済処理手数料に基づいて課金決済処理手数料を算出し、算出された課金決済処理手数料を前記サービス提供者側サーバに送信する。すなわち、本発明によれば、サービス提供者側サーバが課金・決済処理を行う必要がなくなり、サービス提供者側サーバの処理を軽減し、課金業務および決済業務の代行方法に柔軟性を持たせることができる。また、課金処理および決済処理にかかった負荷である、処理依頼元のサービス提供者側サーバおよび課金代行業者側サーバとの送受信情報量を測定し、測定した情報量に基づいて課金処理手数料および決済処理手数料をそれぞれ算出することができる。このため、従来のように一律または一定割合の料金ではなく、処理負荷の大きさに応じた適正な手数料を請求することができる。
【００１２】
請求項２および６記載の本発明にあっては、課金代行業者側サーバは、送信された前記課金業務の依頼内容および当該課金業務に必要な情報をそれぞれ受信し、受信した課金業務の依頼に応じて、前記課金業務に必要な情報に基づいて前記コンシューマに対する課金処理を実行し、前記課金処理結果を前記サービス提供者側サーバに送信し、前記サービス提供者側および自課金代行業者側サーバ間で送受信された課金処理に関する情報量を測定し、この測定された情報量に基づいて課金処理手数料を算出し、算出された課金処理手数料を前記サービス提供者側サーバに送信する。一方、決済代行業者側サーバは、前記決済業務の依頼に応じて、前記決済業務に必要な情報に基づいて決済処理を実行し、その決済処理の結果を前記サービス提供者側サーバに送信し、前記サービス提供者側サーバおよび自決済代行業者側サーバ間で送受信された決済処理に関する情報量を測定し、この測定された情報量に基づき決済処理手数料を算出し、算出された決済処理手数料を前記サービス提供者側サーバに送信する。すなわち、本発明によれば、サービス提供者側サーバが課金・決済処理を行う必要がなくなり、サービス提供者側サーバの処理を軽減し、課金業務および決済業務の代行方法に柔軟性を持たせることができる。また、課金処理および決済処理にかかった負荷である、処理依頼元のサービス提供者側サーバとの送受信情報量を測定し、測定した情報量に基づいて課金処理手数料および決済処理手数料をそれぞれ算出することができる。このため、従来のように一律または一定割合の料金ではなく、処理負荷の大きさに応じた適正な手数料を請求することができる。
【００１３】
請求項３および７記載の本発明にあっては、決済代行業者側サーバは、前記決済業務の依頼に応じて、前記決済業務に必要な情報に基づいて決済処理を実行し、その決済処理の結果を前記サービス提供者側サーバに送信し、前記サービス提供者側サーバおよび自決済代行業者側サーバ間で送受信された決済処理に関する情報量を測定し、この測定された情報量に基づき決済処理手数料を算出し、算出された決済処理手数料を前記サービス提供者側サーバに送信する。すなわち、本発明によれば、サービス提供者側サーバが決済処理を行う必要がなくなり、サービス提供者側サーバの処理を軽減し、決済業務の代行方法に柔軟性を持たせることができる。また、決済処理にかかった負荷である、処理依頼元のサービス提供者側サーバとの送受信情報量を測定し、測定した情報量に基づいて決済処理手数料を算出することができる。このため、従来のように一律または一定割合の料金ではなく、処理負荷の大きさに応じた適正な手数料を請求することができる。
【００１４】
請求項４および８記載の本発明にあっては、課金・決済代行業者側サーバは、送信された課金および決済業務の依頼ならびに当該課金および決済業務に必要な情報をそれぞれ受信し、受信した課金業務の依頼に応じて、前記課金業務に必要な情報に基づいて前記コンシューマに対する課金処理を実行し、受信した決済業務の依頼に応じて、前記課金処理結果および前記決済業務に必要な情報に基づいて決済処理を実行し、前記課金処理結果および決済処理結果を前記サービス提供者側サーバに送信し、前記サービス提供者側サーバおよび自課金・決済代行業者側サーバ間で送受信された課金処理および決済処理に関する情報量を測定し、この測定された情報量に基づき課金・決済処理手数料を算出し、算出された課金・決済処理手数料を前記サービス提供者側サーバに送信する。すなわち、本発明によれば、サービス提供者側サーバが課金・決済処理を行う必要がなくなり、サービス提供者側サーバの処理を軽減し、課金業務および決済業務の代行方法に柔軟性を持たせることができる。また、課金処理および決済処理にかかった負荷である、処理依頼元のサービス提供者側サーバとの送受信情報量を測定し、測定した情報量に基づいて課金処理手数料および決済処理手数料をそれぞれ算出することができる。このため、従来のように一律または一定割合の料金ではなく、処理負荷の大きさに応じた適正な手数料を請求することができる。
【００１５】
以下、図面を用いて本発明の実施の形態を説明する。図１は、本発明の一実施形態に係る課金決済業務代行料金算出方法を実施するためにコンピュータシステムにより構成され、インターネットを介してサービスが提供されるシステムの構成を示す図である。
【００１６】
同図に示すシステムは、サービスを提供するサービス提供者側に設けられるサービス提供者側サーバ（以下、単にサービス提供者という）１、このサービス提供者１からサービスを受けるコンシューマ３、課金業務を代行して行う課金代行業者側に設けられる課金代行業者側サーバ（以下、単に課金代行業者という）５、および決済業務を代行して行う決済代行業者側に設けられる決済代行業者側サーバ（以下、単に決済代行業者という）７から構成されている。また、サービス提供者１は、サービス提供機能１ａを有し、課金代行業者５は、課金処理機能５ａ、および課金処理にかかった負荷の測定、すなわち課金業務を依頼する業者１と課金代行業者５との間で課金処理に関して送受信される情報量の測定を行う情報量測定装置５ｂを有する。また、決済代行業者７は決済処理機能７ａ、および決済処理にかかった負荷の測定、すなわち決済業務を依頼する業者と決済代行業者７との間で決済処理に関して送受信される情報量の測定を行う情報量測定装置７ｂを有する。
【００１７】
次に、上述したように構成される図１の実施形態の作用である課金決済業務代行料金算出方法の処理手順について説明する。
【００１８】
まず、サービス提供者１は、サービス提供機能１ａを用いて、コンシューマ３にサービスを提供すると（処理（１））、課金処理および決済処理を課金代行業者５に依頼し、この課金、決済処理に必要な情報を課金代行業者５に送信する（処理（２））。課金代行業者５は、サービス提供者１から課金、決済処理を依頼されると、課金処理機能５ａで課金処理を行うとともに、またサービス利用料をコンシューマ３に請求し（処理（３））、更に決済代行業者７に決済処理を依頼し、この決済処理に必要な情報を決済代行業者７に送信する（処理（４））。コンシューマ３は、前記サービス利用料の請求に対してサービス利用料を決済代行業者７に支払う（処理（５））。
【００１９】
次に、決済代行業者７は、課金代行業者５からの決済処理の依頼に対して決済処理機能７ａで決済処理を行い、この決済処理結果を課金代行業者５に通知するとともに、決済代行業者７は課金代行業者５と決済処理に関して送受信された情報量を情報量測定装置７ｂで測定し、この測定した情報量に基づく決済処理手数料を計算し、この決済処理手数料の請求を課金代行業者５に送信する（処理（６））。
【００２０】
課金代行業者５は、決済代行業者７から受け取った決済処理結果と課金代行業者５自身で行った課金処理結果をサービス提供者１に通知するとともに、サービス提供者１と課金・決済処理に関して送受信された情報量を情報量測定装置５ｂで測定し、この測定した情報量および決済代行業者７から受け取った決済処理手数料に基づきサービス提供者１に対する課金決済処理手数料を計算し、この手数料の請求をサービス提供者１に送信する（処理（７））。サービス提供者１は、課金代行業者５に課金決済処理手数料を支払い、また課金代行業者５は決済代行業者７に決済処理手数料を支払う。
【００２１】
課金代行業者５および決済代行業者７にそれぞれ設けられている情報量測定装置５ｂおよび情報量測定装置７ｂは、それぞれ相手事業者との間で送受信された情報量を測定するものである。そして、課金代行業者５および決済代行業者７は、この測定された情報量に基づき各処理に対する手数料を算出する。この情報量は、ＨＴＭＬやＸＭＬにおけるタグの数に相当するものである。
【００２２】
次に、図２を参照して、本発明の他の実施形態の課金決済業務代行方法について説明する。図２に示す実施形態は、システムの基本的構成が図１に示すものと同じであるが、図１の実施形態ではサービス提供者１は課金代行業者５に課金処理および決済処理の両方を依頼し、課金代行業者５から決済代行業者７に決済処理を依頼していたのに対して、図２の実施形態では、サービス提供者１が課金代行業者５に課金処理を依頼するとともに、また決済代行業者７に決済処理を依頼するというようにサービス提供者１が課金処理および決済処理を別々に依頼するという点が異なるものであり、各構成要素であるサービス提供者１、コンシューマ３、課金代行業者５、決済代行業者７自体の構成は同じである。
【００２３】
図２においては、まず、サービス提供者１は、サービス提供機能１ａを用いて、コンシューマ３にサービスを提供すると（処理（１））、課金処理を課金代行業者５に依頼し、この課金処理に必要な情報を課金代行業者５に送信する（処理（２））。課金代行業者５は、サービス提供者１からの依頼に対して課金処理を課金処理機能５ａで行い、サービス利用料をコンシューマ３に請求し（処理（３））、また課金処理結果をサービス提供者１に通知するとともに、課金代行業者５はサービス提供者１との間で課金処理に関して送受信した情報量を情報量測定装置５ｂで測定し、この測定した情報量に基づき課金処理手数料を計算し、この課金処理手数料の請求をサービス提供者１に送信する（処理（４））。
【００２４】
サービス提供者１は、課金代行業者５から課金処理結果を受け取ると、この課金処理結果に基づき決済代行業者７に決済処理を依頼し、この決済処理に必要な情報を決済代行業者７に送信する（処理（５））。また、コンシューマ３は、サービス利用料を決済代行業者７に支払う（処理（６））。
【００２５】
決済代行業者７は、サービス提供者１からの決済処理の依頼に対して決済処理機能７ａで決済処理を行い、この決済処理結果をサービス提供者１に通知するとともに、またサービス提供者１との間で決済処理に関して送受信した情報量を情報量測定装置７ｂで測定し、この測定した情報量に基づき決済処理手数料を計算し、この決済処理手数料の請求をサービス提供者１に送信する（処理（７））。サービス提供者１は、課金代行業者５および決済代行業者７にそれぞれ課金処理手数料および決済処理手数料を支払う。
【００２６】
次に、図３を参照して、本発明の別の実施形態の課金決済業務代行方法について説明する。図３に示す実施形態は、サービス提供者１１がサービス提供機能１１ａと課金処理機能１１ｂの両機能を有していて、サービス提供者１１と課金代行業者が同一となる場合であり、サービス提供者１１は決済業務のみを決済代行業者７に代行させるものであり、決済代行業者７は図１、図２と同様に決済処理機能７ａおよび情報量測定装置７ｂを有する。
【００２７】
このように構成される実施形態において、サービス提供者１１は、サービス提供機能１１ａを用いて、コンシューマ３にサービスを提供すると（処理（１））、課金処理機能１１ｂを用いてサービス提供者１１自身が課金処理を行い、それからコンシューマ３にサービス利用料の請求を行う（処理（２））。次に、サービス提供者１１は、決済代行業者７に決済処理を依頼し、この決済処理に必要な情報も決済代行業者７に送信する（処理（３））。
【００２８】
コンシューマ３は、決済代行業者７にサービス利用料を支払う（処理（４））。決済代行業者７は、サービス提供者１１からの決済処理の依頼に対して決済処理機能７ａで決済処理を行い、この決済処理結果をサービス提供者１１に通知するとともに、またサービス提供者１１との間で決済処理に関して送受信した情報量を情報量測定装置７ｂで測定し、この測定した情報量に基づき決済処理手数料を計算し、この決済処理手数料の請求をサービス提供者１１に送信する（処理（５））。サービス提供者１１は、決済代行業者７に決済処理手数料を支払う。
【００２９】
次に、図４を参照して、本発明の更に他の実施形態に係る課金決済業務代行方法について説明する。図４に示す実施形態は、課金処理と決済処理を同一の業者である課金・決済代行業者１５が代行する場合のもの、すなわち、課金代行業者と決済代行業者が同一となる場合のものである。従って、課金・決済代行業者１５は、課金処理機能１５ａ、決済処理機能１５ｂ、および情報量測定装置１５ｃを有する。
【００３０】
このように構成される実施形態において、サービス提供者１１は、サービス提供機能１１ａを用いて、コンシューマ３にサービスを提供すると（処理（１））、課金・決済代行業者１５に課金処理および決済処理の両方を依頼し、両処理に必要な情報を課金・決済代行業者１５に送信する（処理（２））。
【００３１】
課金・決済代行業者１５は、サービス提供者１１からの依頼に応じて課金処理を行い、コンシューマ３にサービス利用料を請求する（処理（３））。コンシューマ３は、サービス利用料を課金・決済代行業者１５に支払い（処理（４））。課金・決済代行業者１５は、決済処理を行う。
【００３２】
課金・決済代行業者１５は、前記課金処理結果および決済処理結果をサービス提供者１１に通知するとともに、またサービス提供者１１との間で課金処理および決済処理に関して送受信した情報量を情報量測定装置１５ｃで測定した結果のデータに基づき課金・決済処理手数料を計算し、この課金・決済処理手数料の請求をサービス提供者１１に送信する（処理（５））。サービス提供者１１は、課金・決済代行業者１５に課金・決済処理手数料を支払う。
【００３３】
以上説明したように、本発明によれば、サービス提供者側サーバにより前記コンシューマに提供されたサービスに対する課金決済業務の依頼および当該課金決済業務に必要な情報を当該サービス提供者側サーバから課金代行業者側サーバに送信して課金処理を課金代行業者側サーバに実行させるようにし、課金代行業者側サーバから前記決済業務の依頼および前記決済業務に必要な情報を決済代行業者側サーバに送信して当該決済代行業者側サーバに決済処理を実行させるようにしたため、サービス提供者側サーバが課金・決済処理を行う必要がなくなり、サービス提供者側サーバの処理を軽減し、課金業務および決済業務の代行方法に柔軟性を持たせることができる。また、課金処理および決済処理にかかった負荷である、処理依頼元のサービス提供者側サーバおよび課金代行業者側サーバとの送受信情報におけるHTMLもしくはXMLのタグ数を測定し、測定したタグ数に基づいて課金処理手数料および決済処理手数料をそれぞれ算出することができる。このため、従来のように一律または一定割合の料金ではなく、処理負荷の大きさに応じた適正な手数料を請求することができる。
【００３４】
また、本発明によれば、サービス提供者側サーバにより前記コンシューマに提供されたサービスに対する課金業務の依頼および当該課金業務に必要な情報を当該サービス提供者側サーバから課金代行業者側サーバに送信して当該課金代行業者側サーバにより課金処理を実行させ、さらに、前記サービス提供者側サーバにより前記コンシューマに提供されたサービスに対する前記課金処理結果に基づく決済業務の依頼および当該決済業務に必要な情報を当該サービス提供者側サーバから前記決済代行業者側サーバに送信して当該決済代行業者側サーバに決済処理を実行させるようにしたため、サービス提供者側サーバが課金・決済処理を行う必要がなくなり、サービス提供者側サーバの処理を軽減し、課金業務および決済業務の代行方法に柔軟性を持たせることができる。また、課金処理および決済処理にかかった負荷である、処理依頼元のサービス提供者側サーバとの送受信情報におけるHTMLもしくはXMLのタグ数を測定し、測定したタグ数に基づいて課金処理手数料および決済処理手数料をそれぞれ算出することができる。このため、従来のように一律または一定割合の料金ではなく、処理負荷の大きさに応じた適正な手数料を請求することができる。
【００３５】
さらに、本発明によれば、前記サービス提供者側サーバにより前記コンシューマに提供されたサービスに対する決済業務の依頼および当該決済業務に必要な情報を当該サービス提供者側サーバから前記決済代行業者側サーバに送信して当該決済代行業者側サーバに決済処理を実行させるようにしたため、サービス提供者側サーバが決済処理を行う必要がなくなり、サービス提供者側サーバの処理を軽減し、決済業務の代行方法に柔軟性を持たせることができる。また、決済処理にかかった負荷である、処理依頼元のサービス提供者側サーバとの送受信情報におけるHTMLもしくはXMLのタグ数を測定し、測定したタグ数に基づいて決済処理手数料を算出することができる。このため、従来のように一律または一定割合の料金ではなく、処理負荷の大きさに応じた適正な手数料を請求することができる。
【００３６】
そして、本発明によれば、サービス提供者側サーバにより前記コンシューマに提供されたサービスに対する課金および決済業務の依頼および当該課金および決済業務に必要な情報を当該サービス提供者側サーバから課金・決済代行業者側サーバに送信して当該課金・決済代行業者側サーバにより課金処理および決済処理をそれぞれ実行させるようにしたため、サービス提供者側サーバが課金・決済処理を行う必要がなくなり、サービス提供者側サーバの処理を軽減し、課金業務および決済業務の代行方法に柔軟性を持たせることができる。また、課金処理および決済処理にかかった負荷である、処理依頼元のサービス提供者側サーバとの送受信情報におけるHTMLもしくはXMLのタグ数を測定し、測定したタグ数に基づいて課金処理手数料および決済処理手数料をそれぞれ算出することができる。このため、従来のように一律または一定割合の料金ではなく、処理負荷の大きさに応じた適正な手数料を請求することができる。
【図面の簡単な説明】
【図１】本発明の一実施形態に係る課金決済業務代行料金算出方法を実施するシステムの構成を示す図である。
【図２】本発明の他の実施形態に係る課金決済業務代行料金算出方法を実施するシステムの構成を示す図である。
【図３】本発明の別の実施形態に係る課金決済業務代行料金算出方法を実施するシステムの構成を示す図である。
【図４】本発明の更に他の実施形態に係る課金決済業務代行料金算出方法を実施するシステムの構成を示す図である。
【図１】
0003800586.tif 000002
【図２】
0003800586.tif 000003
【図３】
0003800586.tif 000004
【図４】
0003800586.tif 000005